(57)【要約】【課題】ユニバーサルリモコンタイプのＡＶ機器用リモコンにおいて、リモコンにプリセットされたＡＶ機器の機器名設定作業を容易に行えるようにする。【解決手段】テレビジョン受像機１に接続されたＤＶＤプレーヤ１０のリモコン２０はＨＤＭＩ端子２３を有する。テレビジョン受像機１のＨＤＭＩ端子２とリモコン２０のＨＤＭＩ端子２３とをＨＤＭＩケーブル３０で接続すると、リモコン２０はテレビジョン受像機１からＥＤＩＤ情報を読み取り、さらにそこからテレビジョン受像機１の機器名を読み出す。その機器名がリモコン２０にプリセットされている機器名と一致すれば、リモコン２０はその機器名を自身に設定する。以後、リモコン２０はテレビジョン受像機１のリモコンとして使用可能になる。【選択図】図１
2007184824.tif 000002
【特許請求の範囲】
【請求項１】
ＨＤＭＩ端子を有し、同じくＨＤＭＩ端子を有するテレビジョン受像機とＨＤＭＩケーブルで接続されることにより、当該テレビジョン受像機のＥＤＩＤ情報を読み取り、読み取ったＥＤＩＤ情報から当該テレビジョン受像機の機器名を読み出し、それを自身にプリセットされている機器名と比較し、一致するものがあればその機器名で設定を行うリモコンを備えたことを特徴とするＤＶＤプレーヤ。
【請求項２】
ＨＤＭＩ端子を有することを特徴とするＡＶ機器用リモコン。
【請求項３】
ＨＤＭＩ端子を有するＡＶ機器とＨＤＭＩケーブルで接続されることにより、当該ＡＶ機器のＥＤＩＤ情報を読み取ることを特徴とする請求項２に記載のＡＶ機器用リモコン。
【請求項４】
読み取ったＥＤＩＤ情報から前記ＡＶ機器の機器名を読み出し、それを自身にプリセットされている機器名と比較し、一致するものがあればその機器名で設定を行うことを特徴とする請求項３に記載のＡＶ機器用リモコン。
【発明の詳細な説明】
【技術分野】
【０００１】
本発明はＡＶ（Audio Visual）機器用の無線式リモートコントローラ（本明細書では「リモコン」と略称する）及びそれを備えたＤＶＤ（Digital Versatile Disc）プレーヤに関する。ＤＶＤプレーヤには再生機能と記録機能の両方を備えるものも含まれるものとする。
【背景技術】
【０００２】
近年、多くのＡＶ機器を所有する家庭が増え、ＡＶラックの天面にテレビジョン受像機が載り、ラック内にＤＶＤプレーヤやＨＤレコーダなどのデジタル記録再生機器や、ケーブルテレビシステムのセットトップボックス（ＳＴＢ）といったＡＶ機器が並ぶ光景が当たり前のことになっている。
【０００３】
ＡＶ機器にはリモコンがつきものであるが、ＡＶ機器の数だけのリモコンをテーブルの上に並べておき、ＡＶ機器によってそれらを使い分けるというのは、リモコンに占拠される場所のことを考えても、操作の手間のことを考えても、負担を強いられる話である。そのため最近では、１つのＡＶ機器のリモコンで他のＡＶ機器の操作も行えるようにした、ユニバーサルリモコンが用いられることが多くなっている。
【０００４】
ユニバーサルリモコンについても多くの技術開発がなされている。例えば特許文献１には、複数の機器を有線接続しておき、一の機器に対して行うリモコン操作によって他の機器もコントロールできるようにしたシステムが開示されている。
【特許文献１】特開２００３−１７９９８５号公報（［０００４］、図１）
【発明の開示】
【発明が解決しようとする課題】
【０００５】
特定のＡＶ機器に付属するリモコンがユニバーサルリモコンである場合、そのリモコンで他のＡＶ機器もコントロールできるようにするためには、リモコンにプリセットされている他のＡＶ機器の機器名をリモコンに設定してやる必要がある。不慣れな人にとってはこの種の作業は荷が重い。本発明はこの点に鑑みなされたもので、ユニバーサルリモコンタイプのＡＶ機器用リモコンにおいて、リモコンにプリセットされたＡＶ機器の機器名設定作業を容易に行えるようにすること、またそのようなリモコンを備えたＤＶＤプレーヤを提供することを目的とする。
【課題を解決するための手段】
【０００６】
上記目的を達成するために、請求項１の発明は、ＨＤＭＩ（High-Definition Multimedia Interface）端子を有し、同じくＨＤＭＩ端子を有するテレビジョン受像機とＨＤＭＩケーブルで接続されることにより、当該テレビジョン受像機のＥＤＩＤ（Extended Display Identification Data）情報を読み取り、読み取ったＥＤＩＤ情報から当該テレビジョン受像機の機器名を読み出し、それを自身にプリセットされている機器名と比較し、一致するものがあればその機器名で設定を行うリモコンを備えたＤＶＤプレーヤであることを特徴としている。
【０００７】
この構成によると、ＨＤＭＩ端子を有するテレビジョン受像機とＤＶＤプレーヤのリモコンとをＨＤＭＩケーブルで接続しさえすれば、そのテレビジョン受像機のＥＤＩＤ情報をリモコンが取得し、以後リモコンまかせでテレビジョン受像機の機器名設定が進行するから、使用者の手間が省けるうえ、設定間違いの懸念もない。
【０００８】
請求項２の発明は、ＨＤＭＩ端子を有するＡＶ機器用リモコンであることを特徴としている。
【０００９】
この構成によると、ＡＶ機器用リモコンが、ＨＤＭＩ端子を有するＡＶ機器と、ＨＤＭＩケーブルを介して通信することが可能になる。
【００１０】
請求項３の発明では、請求項２のＡＶ機器用リモコンにおいて、ＨＤＭＩ端子を有するＡＶ機器とＨＤＭＩケーブルで接続されることにより、当該ＡＶ機器のＥＤＩＤ情報を読み取ることを特徴としている。
【００１１】
この構成によると、ＡＶ機器用リモコンが、ＨＤＭＩケーブルで接続されたＡＶ機器からＥＤＩＤ情報を得ることが可能になる。
【００１２】
請求項４の発明では、請求項３のＡＶ機器用リモコンにおいて、読み取ったＥＤＩＤ情報から前記ＡＶ機器の機器名を読み出し、それを自身にプリセットされている機器名と比較し、一致するものがあればその機器名で設定を行うことを特徴としている。
【００１３】
この構成によると、ＡＶ機器の機器名設定をリモコンまかせで進行させることができ、使用者の手間が省けるうえ、設定間違いの懸念もない。
【発明の効果】
【００１４】
以上のように本発明によれば、リモコンにＨＤＭＩ端子を設け、他のＡＶ機器とＨＤＭＩケーブルで接続することにより、リモコンがそのＡＶ機器のＥＤＩＤ情報を吸い上げ、ＥＤＩＤ情報に含まれる機器名をリモコン自身に設定するものであるから、リモコンの機器名設定作業に不慣れな者でも、例えばテレビジョン受像機の機器名をＤＶＤプレーヤのリモコンに設定するといった作業を簡単且つ確実に遂行することができる。
【発明を実施するための最良の形態】
【００１５】
以下、添付図面を参照しつつ本発明の実施形態を説明する。図１はテレビジョン受像機とこれに接続されたＤＶＤプレーヤ、及びＤＶＤプレーヤ用リモコンの概略正面図、図２は機器名設定作業のフローチャートである。
【００１６】
図１にはテレビジョン受像機１及びこれに接続されたＤＶＤプレーヤ１０と、ＤＶＤプレーヤ１０のリモコン２０とが示されている。リモコン２０の表面には液晶パネルによる表示部２１の他、プッシュキーやジョグキーにより構成される操作部２２が設けられている。
【００１７】
テレビジョン受像機１はＨＤＭＩ端子２を有し、リモコン２０もＨＤＭＩ端子２３を有する。テレビジョン受像機１の機器名をリモコン２０に設定するときは、テレビジョン受像機１とリモコン２０をＨＤＭＩケーブル３０で接続する。するとリモコン２０の内部の図示しないマイクロコンピュータ（以下「マイコン」と略称する）が図２のフローに従ってテレビジョン受像機１の機器名をリモコン２０に設定する。
【００１８】
ステップ＃１０１において、テレビジョン受像機１のＨＤＭＩ端子２とリモコン２０のＨＤＭＩ端子２３をＨＤＭＩケーブル３０で接続する。するとステップ＃１０２において、マイコンがテレビジョン受像機１のＥＤＩＤ情報を読み取る。マイコンはさらにステップ＃１０３において、ＥＤＩＤ情報からテレビジョン受像機１の機器名を読み出す。マイコンはステップ＃１０４で、読み出した機器名とリモコン２０にプリセットされている機器名とを比較し、一致するものがあるかどうかを判定する。一致する機器名がなければそのまま作業を終了する。一致するものがあればステップ＃１０５に進み、マイコンが機器名をリモコン２０に設定する。これをもって作業終了となる。
【００１９】
機器名設定作業終了後、ＨＤＭＩケーブル３０を取り外せば、リモコン２０はテレビジョン受像機１のリモコンとして使用可能となる。なお図２の作業の間、ＨＤＭＩケーブル３０による接続を維持する必要があるので、使用者がうっかりＨＤＭＩケーブル３０を抜いたりしないよう、「接続解除不可」の旨の表示がリモコン２０の表示部２１又はテレビジョン受像機１の画面、あるいはその両方に現れるようにしておくとよい。
【００２０】
以上本発明の実施形態につき説明したが、発明の主旨を逸脱しない範囲でさらに種々の変更を加えて実施することができる。
【産業上の利用可能性】
【００２１】
本発明はＡＶ機器のリモコン全般に利用可能である。
【図面の簡単な説明】
【００２２】
【図１】テレビジョン受像機とこれに接続されたＤＶＤプレーヤ、及びＤＶＤプレーヤ用リモコンの概略正面図
【図２】機器名設定作業のフローチャート
【符号の説明】
【００２３】
１    テレビジョン受像機
２    ＨＤＭＩ端子
１０  ＤＶＤプレーヤ
２０  リモコン
２１  表示部
２２  操作部
２３  ＨＤＭＩ端子
３０  ＨＤＭＩケーブル
【図１】
2007184824.tif 000003
【図２】
2007184824.tif 000004